(57)【要約】【課題】理解や判断を必要とせずに乗場扉と乗場三方枠の隙間またはかご扉と出入口柱の隙間に乗客が引き込まれることを防止する扉引き込まれ防止装置を得る。【解決手段】扉引き込まれ防止装置は、エレベータの各階床の乗場に設けられた乗場扉と乗場三方枠またはかごに設けられたかご扉と出入口柱との隙間に人が引き込まれないように防止する扉引き込まれ防止装置において、上記乗場三方枠と上記乗場扉または上記出入口柱と上記かご扉との隙間を臨む放送範囲にだけ不快音を放送する超指向性スピーカと、上記乗場扉または上記かご扉が開放するときだけ上記超指向性スピーカから上記不快音を放送するように制御する放送機器と、を備える。【選択図】図１
2010260654.tif 000002
【特許請求の範囲】
【請求項１】
エレベータの各階床の乗場に設けられた乗場扉と乗場三方枠またはかごに設けられたかご扉と出入口柱との隙間に人が引き込まれないように防止する扉引き込まれ防止装置において、
上記乗場三方枠と上記乗場扉または上記出入口柱と上記かご扉との隙間を臨む放送範囲にだけ不快音を放送する超指向性スピーカと、
上記乗場扉または上記かご扉が開放するときだけ上記超指向性スピーカから上記不快音を放送するように制御する放送機器と、
を備えることを特徴とする扉引き込まれ防止装置。
【請求項２】
上記放送機器は、上記エレベータが到着し且つ上記乗場扉が閉まっているとき音量を弱にして上記不快音を放送することを特徴とする請求項１に記載の扉引き込まれ防止装置。
【請求項３】
上記不快音は、スティックスリップ音またはハウリング音であることを特徴とする請求項１または２に記載の扉引き込まれ防止装置。
【発明の詳細な説明】
【技術分野】
【０００１】
この発明は、エレベータの乗場またはかご内で扉が開く際に人が引き込まれないように防止する扉引き込まれ防止装置に関するものである。
【背景技術】
【０００２】
従来のエレベータの乗場に設置された障害物検出装置では、光軸を乗場戸の乗場側の面に沿って通過するように構成し、乗場出入口を通過する乗客又は荷物の有無を検出して、乗場戸の動きを制御するようにしている。
また、戸開直前に音声を発報して、乗場扉と乗場三方枠の隙間に、乗客の体の一部が引き込まれることを防止するため注意を促すようにしている（例えば、特許文献１参照）。
【先行技術文献】
【特許文献】
【０００３】
【特許文献１】特開平１０−１３９３３３号公報
【発明の概要】
【発明が解決しようとする課題】
【０００４】
しかし、子供や高齢者の場合、注意を促すアナウンスの内容を理解するまでの時間が長かったり、理解ができなかったりするために、罹災防止が困難になるという問題がある。
【０００５】
この発明は、前記のような課題を解決するためになされたものであり、理解や判断を必要とせずに乗場扉と乗場三方枠またはかご扉と出入口柱の隙間に乗客が引き込まれることを防止する扉引き込まれ防止装置を得ることを目的とする。
【課題を解決するための手段】
【０００６】
この発明に係る扉引き込まれ防止装置は、エレベータの各階床の乗場に設けられた乗場扉と乗場三方枠またはかごに設けられたかご扉と出入口柱との隙間に人が引き込まれないように防止する扉引き込まれ防止装置において、上記乗場三方枠と上記乗場扉または上記出入口柱と上記かご扉との隙間を臨む放送範囲にだけ不快音を放送する超指向性スピーカと、上記乗場扉または上記かご扉が開放するときだけ上記超指向性スピーカから上記不快音を放送するように制御する放送機器と、を備える。
【発明の効果】
【０００７】
この発明に係る扉引き込まれ防止装置では、乗場扉と乗場三方枠の隙間またはかご扉と出入口柱の隙間に近いところに人が立つと人が逃げたくなるような不快音が聞こえてくるので、不快音から逃げようと無条件に動き、結果として乗場扉と乗場三方枠の隙間またはかご扉と出入口柱の隙間から遠ざかるという効果を奏する。
【図面の簡単な説明】
【０００８】
【図１】この発明に係る乗場扉引き込まれ防止装置の構成図である。
【図２】乗場の床の放送範囲を示す図である。
【図３】この発明の実施の形態に係る乗場扉引き込まれ防止手順を示すフローチャートである。
【図４】この発明に係るかご扉引き込まれ防止装置の構成図である。
【図５】かごの床の放送範囲を示す図である。
【図６】この発明の実施の形態に係るかご扉引き込まれ防止手順を示すフローチャートである。
【発明を実施するための形態】
【０００９】
以下、本発明の扉引き込まれ防止装置の好適な実施の形態につき図面を用いて説明する。
実施の形態１．
図１は、この発明に係る乗場扉引き込まれ防止装置の構成図である。図２は、乗場の床の放送範囲を示す図である。
この発明に係る乗場扉引き込まれ防止装置は、エレベータの各階床の乗場に設けられる乗場三方枠１の上枠１ａの乗場三方枠１の縦枠１ｂに近いところに設置された超指向性スピーカ２、および乗場扉３が開かれるときに不快音を超指向性スピーカ２に送る放送機器４を備える。
【００１０】
超指向性スピーカ２として、例えば三菱電機エンジニアリング株式会社製の放射器ＭＳＰ−５０Ｅを適用することができ、超指向性スピーカ２は上枠１ａの下面に音の放射方向が床に向くように下向きに固定してある。そして、この超指向性スピーカ２の半減全角は、例えば２５°であるので、図１の円錐内が放送範囲８となり、この放送範囲８内に居る人に超指向性スピーカ２からの音を聞かせることができる。この放送範囲８は乗場三方枠１の縦枠１ｂに近いので、乗場扉３と乗場三方枠１との隙間に近づく乗客はこの放送範囲８内に居ることになる。
【００１１】
放送機器４は、不快音が録音されている例えばＣＤなどの記録媒体を再生するプレーヤ５および指向性を持たせるために変調する例えば三菱電機エンジニアリング株式会社製の変調器ＭＳＰ−３０Ｍからなる超指向性スピーカ制御部６を有する。
このＣＤなどの記録媒体に録音されている不快音は、人が不快と感じる音であり、例えば物体同士の摩擦により出るスティックスリップ音やスピーカからの出力の一部がマイクに帰還されたことにより生ずるハウリング音などであるが、これらに限るものではない。
【００１２】
超指向性スピーカ制御部６は、エレベータを制御しているエレベータ制御盤７からエレベータの運行のデータを取得し、エレベータのかごが当該階に停止し且つ乗場扉３が開いていないときには音量を弱として不快音を放送し、当該階のかご戸開釦または乗場釦が押されたときには音量を強として不快音を放送する。
【００１３】
図３は、この発明の実施の形態に係る乗場扉引き込まれ防止手順を示すフローチャートである。
次に、この発明の実施の形態に係る乗場扉引き込まれ防止手順を説明する。
ステップＳ１０１で、エレベータが無方向で且つ戸閉停止状態か否かを判断し、エレベータが無方向で且つ戸閉停止状態のときステップＳ１０２に進み、それ以外のときステップＳ１０９に進む。
ステップＳ１０２で、停止している階床は当該階であるか否かを判断し、停止している階床が当該階であるときステップＳ１０３に進み、停止している階床が当該階でないときステップＳ１０１に戻る。
ステップＳ１０３で、不快音を音量弱で放送しながらステップＳ１０４に進む。
【００１４】
ステップＳ１０４で、「他階の乗場呼びまたはかご呼び」の発生が無いか否かを判断し、発生が無ければステップＳ１０５に進み、発生があればステップＳ１０８に進む。
ステップＳ１０５で、「当該階のかご戸開釦または乗場釦」が押されたか否かを判断し、押されたらステップＳ１０６に進み、押されなければステップＳ１０３に戻る。
ステップＳ１０６で、不快音を音量強で放送しながらステップＳ１０７に進む。
ステップＳ１０７で、乗場扉３が全開したか否かを判断し、全開したときステップＳ１０８に進み、全開に至っていないときステップＳ１０６に戻る。
ステップＳ１０８で、不快音放送を停止して一連の乗場扉引き込まれ防止手順を終了する。
【００１５】
ステップＳ１０９で、走行中か否かを判断し、走行中のときステップＳ１１０に進み、走行中でないときステップＳ１０１に戻る。
ステップＳ１１０で、当該階への停止検出がされたか否か判断し、停止検出がされたときにはステップＳ１１１に進み、停止検出がされないときにはステップＳ１０１に戻る。
ステップＳ１１１で、不快音を音量強で放送しながらステップＳ１０７に進む。
【００１６】
上述のように乗場扉３と乗場三方枠１の隙間に臨む円錐部分を放送範囲８とする超指向性スピーカ２から乗場扉３が開放されるときに不快音が放送されており、その放送範囲８に入った人はその音から逃げようとするので、放送音の内容を理解したり判断したりしなくても咄嗟に体を引き込まれ易い場所から待避することができる。
また、不快音が限られた放送範囲８だけに放送されるので、関係ない人が不快音を聞いて不快を感じることがない。
【００１７】
実施の形態２．
図４は、この発明に係るかご扉引き込まれ防止装置の構成図である。図５は、かごの床の放送範囲を示す図である。
この発明に係るかご扉引き込まれ防止装置は、かごの出入口に設けられる出入口上板１１の出入口柱１２に近いところに設置された超指向性スピーカ２、およびかご扉１３が開かれるときに不快音を超指向性スピーカ２に送る放送機器４Ｂを備える。なお、超指向性スピーカ２は、実施の形態１において説明したものと同様であるので、説明は省略する。
【００１８】
放送機器４Ｂは、不快音が録音されているＣＤを再生するプレーヤ５および指向性を持たせるために変調する例えば三菱電機エンジニアリング株式会社製の変調器ＭＳＰ−３０Ｍからなる超指向性スピーカ制御部６Ｂを有する。なお、超指向性スピーカ２は、実施の形態１において説明したものと同様であるので、説明は省略する。また、不快音も実施の形態１において説明したものと同様であるので、説明は省略する。
【００１９】
図６は、この発明の実施の形態に係るかご扉引き込まれ防止手順を示すフローチャートである。
次に、この発明の実施の形態に係るかご扉引き込まれ防止手順を説明する。
ステップＳ２０１で、エレベータのかごが無方向で且つ戸閉停止状態か否かを判断し、エレベータのかごが無方向で且つ戸閉停止状態のときステップＳ２０２に進み、それ以外のときステップＳ２０７に進む。
ステップＳ２０２で、不快音を音量弱で放送しながらステップＳ２０３に進む。
【００２０】
ステップＳ２０３で、「当該階のかご戸開釦または乗場釦」が押されたか否かを判断し、押されたらステップＳ２０４に進み、押されなければステップＳ２０２に戻る。
ステップＳ２０４で、不快音を音量強で放送しながらステップＳ２０５に進む。
ステップＳ２０５で、かご扉１３が全開したか否かを判断し、全開したときステップＳ２０６に進み、全開に至っていないときステップＳ２０４に戻る。
ステップＳ２０６で、不快音放送を停止して一連のかご扉引き込まれ防止手順を終了する。
【００２１】
ステップＳ２０７で、走行中か否かを判断し、走行中のときステップＳ２０８に進み、走行中でないときステップＳ２０１に戻る。
ステップＳ２０８で、不快音を音量弱で放送しながらステップＳ２０９に進む。
ステップＳ２０９で、停止検出がされたか否か判断し、停止検出がされたときにはステップＳ２０４に進み、停止検出がされないときにはステップＳ２０８に戻る。
【００２２】
上述のようにかご扉１３と出入口柱１２の隙間に臨む円錐部分を放送範囲８とする超指向性スピーカ２からかご扉１３が開放されるときに不快音が放送されており、その放送範囲８に入った人はその音から逃げようとするので、放送音の内容を理解したり判断したりしなくても咄嗟に体を引き込まれ易い場所から待避することができる。
【符号の説明】
【００２３】
１  乗場三方枠、１ａ  （乗場三方枠の）上枠、１ｂ  （乗場三方枠の）縦枠、
２  超指向性スピーカ、３  乗場扉、４、４Ｂ  放送機器、５  プレーヤ、６、６Ｂ  超指向性スピーカ制御部、７  エレベータ制御盤、８  放送範囲、１１  出入口上板、１２  出入口柱、１３  かご扉。
【図１】
2010260654.tif 000003
【図２】
2010260654.tif 000004
【図３】
2010260654.tif 000005
【図４】
2010260654.tif 000006
【図５】
2010260654.tif 000007
【図６】
2010260654.tif 000008